(57)【要約】  ダイナミックコンテンツ転送（ＤＣＤ）システムにおけるサーバからクライアント端末にコンテンツをアップデートする方法であって、クライアント端末がアップデートに有効な１つ以上のコンテンツの識別情報を含む第１メッセージをサーバから受信するステップと、１つ以上のコンテンツのうち、アップデートしようとする特定のコンテンツの識別情報を含む第２メッセージをサーバへ転送するステップと、第２メッセージに含まれた識別情報に相応するコンテンツまたはそのアドレスを含む第３メッセージを受信して第２メッセージに対して応答を受けるステップと、を含むコンテンツアップデート方法を開示する。
2010522393.tif 000002
【特許請求の範囲】
【請求項１】
ダイナミックコンテンツ転送（ＤＣＤ）システムにおけるサーバからクライアント端末にコンテンツをアップデートする方法であって、
アップデートに有効な１つ以上のコンテンツの識別情報を含む第１メッセージをサーバからクライアント端末へ転送するステップと、
クライアント端末が第１メッセージを受信し、１つ以上のコンテンツのうち、アップデートしようとする特定のコンテンツの識別情報を含む第２メッセージをサーバへ転送してコンテンツアップデートを要請するステップと、
サーバが第２メッセージを受信し、第２メッセージに含まれた識別情報に相応するコンテンツまたはそのアドレスを含む第３メッセージを転送して第２メッセージに応答するステップと、
クライアント端末が第３メッセージを受信するステップと、
を含むことを特徴とするコンテンツアップデート方法。
【請求項２】
第１メッセージは、サーバとクライアント端末との間のセッションを識別するセッション−ＩＤを含むことを特徴とする請求項１に記載のコンテンツアップデート方法。
【請求項３】
第１メッセージに含まれる識別情報は、チャネル−ＩＤ及び／又はコンテンツ−ＩＤを含むことを特徴とする請求項１に記載のコンテンツアップデート方法。
【請求項４】
第２メッセージに含まれる識別情報は、チャネル−ＩＤ及び／又はコンテンツ−ＩＤを含むことを特徴とする請求項３に記載のコンテンツアップデート方法。
【請求項５】
第３メッセージに含まれるか第３メッセージにより参照されたコンテンツに対するコンテンツアップデートの結果を提供する第４メッセージをクライアント端末からサーバへ転送するステップと、
サーバが第４メッセージを受信するステップと、
を更に含むことを特徴とする請求項１に記載のコンテンツアップデート方法。
【請求項６】
第１メッセージと第３メッセージのうちのどれか１つは第４メッセージを要請する情報を含むことを特徴とする請求項５に記載のコンテンツアップデート方法。
【請求項７】
ダイナミックコンテンツ転送（ＤＣＤ）システムにおけるサーバからクライアント端末にコンテンツをアップデートする方法であって、
クライアント端末がアップデートに有効な１つ以上のコンテンツの識別情報を含む通知メッセージを受信してコンテンツアップデートが開始される時に、またはオンデマンド型コンテンツアップデート要請時に、１つ以上のコンテンツのうち、アップデートしようとする特定のコンテンツの識別情報を含む通知メッセージをクライアント端末からサーバへ転送してコンテンツアップデートを要請するステップと、
サーバが要請メッセージを受信し、要請メッセージに含まれた識別情報に相応するコンテンツまたはそのアドレスを含む応答メッセージを転送して要請メッセージに応答するステップと、
クライアント端末が応答メッセージを受信するステップと、
を含むことを特徴とするコンテンツアップデート方法。
【請求項８】
通知メッセージは、サーバとクライアント端末との間のセッションを識別するセッション−ＩＤを含むことを特徴とする請求項１に記載のコンテンツアップデート方法。
【請求項９】
通知メッセージに含まれる識別情報は、チャネル−ＩＤ及び／又はコンテンツ−ＩＤを含むことを特徴とする請求項１に記載のコンテンツアップデート方法。
【請求項１０】
要請メッセージに含まれる識別情報は、チャネル−ＩＤ及び／又はコンテンツ−ＩＤを含むことを特徴とする請求項３に記載のコンテンツアップデート方法。
【請求項１１】
応答メッセージに含まれるか応答メッセージにより参照されたコンテンツに対するコンテンツアップデートの結果を提供する確認メッセージをクライアント端末からサーバへ転送するステップと、
サーバが確認メッセージを受信するステップと、
を更に含むことを特徴とする請求項１に記載のコンテンツアップデート方法。
【請求項１２】
要請メッセージと応答メッセージのうちのどれか１つは確認メッセージを要請する情報を含むことを特徴とする請求項４に記載のコンテンツアップデート方法。
【請求項１３】
サーバからクライアント端末にコンテンツをアップデートするダイナミックコンテンツ転送（ＤＣＤ）システムであって、
アップデートに有効な１つ以上のコンテンツの識別情報を含む第１メッセージをクライアント端末へ転送し、１つ以上のコンテンツのうち、アップデートしようとする特定のコンテンツの識別情報を含む第２メッセージを受信してコンテンツアップデートの要請を受けて、第２メッセージに含まれた識別情報に相応するコンテンツまたはそのアドレスを含む第３メッセージを転送して第２メッセージに応答するサーバと、
サーバから第１メッセージを受信し、第２メッセージをサーバへ転送し、サーバから第３メッセージを受信するクライアント端末と、
を含むことを特徴とするダイナミックコンテンツ転送システム。
【請求項１４】
第１メッセージは、サーバとクライアント端末との間のセッションを識別するセッション−ＩＤを含むことを特徴とする請求項１３に記載のダイナミックコンテンツ転送システム。
【請求項１５】
第１メッセージに含まれる識別情報は、チャネル−ＩＤ及び／又はコンテンツ−ＩＤを含むことを特徴とする請求項１３に記載のダイナミックコンテンツ転送システム。
【請求項１６】
第２メッセージに含まれる識別情報は、チャネル−ＩＤ及び／又はコンテンツ−ＩＤを含むことを特徴とする請求項１５に記載のダイナミックコンテンツ転送システム。
【請求項１７】
第３メッセージに含まれるか第３メッセージにより参照されたコンテンツに対するコンテンツアップデートの結果を提供する第４メッセージをクライアント端末からサーバへ転送する過程と、
サーバが第４メッセージを受信する過程と、
を更に含むことを特徴とする請求項１に記載のダイナミックコンテンツ転送システム。
【請求項１８】
第１メッセージと第３メッセージのうちのどれか１つは第４メッセージを要請する情報を含むことを特徴とする請求項１７に記載のダイナミックコンテンツ転送システム。
【請求項１９】
ダイナミックコンテンツ転送（ＤＣＤ）システムにおけるサーバがクライアント端末にコンテンツをアップデートする方法であって、
アップデートに有効な１つ以上のコンテンツの識別情報を含む第１メッセージをクライアント端末へ転送するステップと、
１つ以上のコンテンツのうち、アップデートしようとする特定のコンテンツの識別情報を含む第２メッセージを受信してコンテンツアップデートの要請を受けるステップと、
第２メッセージに含まれた識別情報に相応するコンテンツまたはそのアドレスを含む第３メッセージを転送して第２メッセージに応答するステップと、
を含むことを特徴とするコンテンツアップデート方法。
【請求項２０】
第１メッセージは、サーバとクライアント端末との間のセッションを識別するセッション−ＩＤを含むことを特徴とする請求項１９に記載のコンテンツアップデート方法。
【請求項２１】
第１メッセージに含まれる識別情報は、チャネル−ＩＤ及び／又はコンテンツ−ＩＤを含むことを特徴とする請求項１９に記載のコンテンツアップデート方法。
【請求項２２】
第２メッセージに含まれる識別情報は、チャネル−ＩＤ及び／又はコンテンツ−ＩＤを含むことを特徴とする請求項２１に記載のコンテンツアップデート方法。
【請求項２３】
第３メッセージに含まれるか第３メッセージにより参照されたコンテンツに対するコンテンツアップデートの結果を提供する第４メッセージをクライアント端末からサーバへ転送するステップと、
サーバが第４メッセージを受信するステップと、
を更に含むことを特徴とする請求項１９に記載のコンテンツアップデート方法。
【請求項２４】
第１メッセージと第３メッセージのうちのどれか１つは第４メッセージを要請する情報を含むことを特徴とする請求項２３に記載のコンテンツアップデート方法。
【請求項２５】
ダイナミックコンテンツ転送（ＤＣＤ）システムにおけるクライアント端末がサーバからコンテンツのアップデートを受ける方法であって、
アップデートに有効な１つ以上のコンテンツの識別情報を含む第１メッセージの受信を受けるステップと、
１つ以上のコンテンツのうち、アップデートしようとする特定のコンテンツの識別情報を含む第２メッセージを転送してコンテンツアップデートを要請するステップと、
第２メッセージに含まれた識別情報に相応するコンテンツまたはそのアドレスを含む第３メッセージを受信して第２メッセージに対して応答を受けるステップと、
を含むことを特徴とするコンテンツアップデート方法。
【請求項２６】
第１メッセージは、サーバとクライアント端末との間のセッションを識別するセッション−ＩＤを含むことを特徴とする請求項２５に記載のコンテンツアップデート方法。
【請求項２７】
第１メッセージに含まれる識別情報は、チャネル−ＩＤ及び／又はコンテンツ−ＩＤを含むことを特徴とする請求項２５に記載のコンテンツアップデート方法。
【請求項２８】
第２メッセージに含まれる識別情報は、チャネル−ＩＤ及び／又はコンテンツ−ＩＤを含むことを特徴とする請求項２７に記載のコンテンツアップデート方法。
【請求項２９】
第３メッセージに含まれるか第３メッセージにより参照されたコンテンツに対するコンテンツアップデートの結果を提供する第４メッセージをクライアント端末からサーバへ転送するステップと、
サーバが第４メッセージを受信するステップと、
を更に含むことを特徴とする請求項２５に記載のコンテンツアップデート方法。
【請求項３０】
第１メッセージと第３メッセージのうちのどれか１つは第４メッセージを要請する情報を含むことを特徴とする請求項２９に記載のコンテンツアップデート方法。
【請求項３１】
ダイナミックコンテンツ転送（ＤＣＤ）システムにおけるクライアント端末がサーバからコンテンツのアップデートを受ける方法であって、
アップデートに有効な１つ以上のコンテンツの識別情報を含む通知メッセージを受信してコンテンツアップデートが開始される時、またはオンデマンド型コンテンツアップデート要請時に、１つ以上のコンテンツのうち、アップデートしようとする特定のコンテンツの識別情報を含む要請メッセージをサーバへ転送してコンテンツアップデートを要請するステップと、
要請メッセージに含まれた識別情報に相応するコンテンツまたはそのアドレスを含む応答メッセージをサーバから受信して要請メッセージに対して応答を受けるステップと、
を含むことを特徴とするコンテンツアップデート方法。
【請求項３２】
通知メッセージは、サーバとクライアント端末との間のセッションを識別するセッション−ＩＤを含むことを特徴とする請求項３１に記載のコンテンツアップデート方法。
【請求項３３】
通知メッセージに含まれる識別情報は、チャネル−ＩＤ及び／又はコンテンツ−ＩＤを含むことを特徴とする請求項３１に記載のコンテンツアップデート方法。
【請求項３４】
要請メッセージに含まれる識別情報は、チャネル−ＩＤ及び／又はコンテンツ−ＩＤを含むことを特徴とする請求項３３に記載のコンテンツアップデート方法。
【請求項３５】
応答メッセージに含まれるか応答メッセージにより参照されたコンテンツに対するコンテンツアップデートの結果を提供する確認メッセージをクライアント端末からサーバへ転送するステップと、
サーバが確認メッセージを受信するステップと、
を更に含むことを特徴とする請求項３１に記載のコンテンツアップデート方法。
【請求項３６】
要請メッセージと応答メッセージのうちのどれか１つは確認メッセージを要請する情報を含むことを特徴とする請求項３５に記載のコンテンツアップデート方法。
【発明の詳細な説明】
【技術分野】
【０００１】
本発明は、ダイナミックコンテンツ転送（ｄｙｎａｍｉｃ  ｃｏｎｔｅｎｔ  ｄｅｌｉｖｅｒｙ；ＤＣＤ）システムにおけるサーバからクライアントへコンテンツを転送することに関するものである。
【背景技術】
【０００２】
最近、ネットワークインフラ設備が拡大されるにつれて益々多くの数のコンテンツ提供者がユーザが希望するコンテンツを製作及び格納している。ユーザはそのようなコンテンツ提供者が運営するサイトを訪問して希望するコンテンツを受けることができる。
【０００３】
コンテンツの効率的な転送はインターネット上で製作及び修正された情報をリアルタイムに転送する方式によりウェブシンジケーション（ｗｅｂ  ｓｙｎｄｉｃａｔｉｏｎ）を必要とする。ウェブシンジケーションは、例えば標準に提案及び採択されているＲＳＳ（Ｒｅａｌｌｙ  Ｓｉｍｐｌｅ  Ｓｙｎｄｉｃａｔｉｏｎ）及びＡＴＯＭ（Ａｔｏｍは、“フィード（ｆｅｅｄ）”として知られている情報のリストが掲示者と消費者との間に同期化できるようにするために意図されたＸＭＬ基盤ファイルフォーマットである。フィードは“エントリー（ｅｎｔｒｙ）”として知られている多数のアイテムから構成されるが、各々のアイテムには拡張可能なセットのメタデータが添付される。）を含む。ＲＳＳ及びＡＴＯＭはコンテンツの配給を可能にしてきたし、コンテンツはＲＳＳリーダー（ＲＳＳ  ｒｅａｄｅｒ）のようなプログラムにより一層効率的に収集できる。
【０００４】
しかしながら、資源が比較的限定されている移動環境では、ＲＳＳ／ＡＴＯＭにより配給されたコンテンツへのアクセスが、ＰＣ環境におけるようになされることができない。そのような問題点を解決するために、移動端末のために収集されたコンテンツを最適に転送する方式が要請されたし、その代表的な例のうちの１つがダイナミックコンテンツ転送（ＤＣＤ；Ｄｙｎａｍｉｃ  Ｃｏｎｔｅｎｔ  Ｄｅｌｉｖｅｒｙ）方式であって、ＯＭＡ（Ｏｐｅｎ  Ｍｏｂｉｌｅ  Ａｌｌｉａｎｃｅ）によりその標準化が進行中である。ＤＣＤは移動端末ユーザにそれらの好みを反映する最も効率的な方式により所望のコンテンツを提供しようとしている。そのような目的のためのコンテンツ転送方式は、ＤＣＤ−１インターフェースを採用したプル方式（ｐｕｌｌ  ｓｃｈｅｍｅ）とＤＣＤ−２インターフェースを採用したプッシュ方式（ｐｕｓｈ  ｓｃｈｅｍｅ）とを含む。既存の移動サービスによれば、ユーザの移動端末は無線インターネット上でサイトにアクセスし、多数の深さ（ｄｅｐｔｈ）を検索して希望するコンテンツを探さなければならない。それとは対照的に、ＤＣＤはサイトを訪問及び検索してコンテンツを探すことなしに、ユーザの移動端末へコンテンツを転送してユーザがそれらの選好度を最大限に反映している希望するコンテンツの提供を受けるようにすることを目標としている。
【０００５】
以下、ＤＣＤ−２インターフェースを採用したプッシュ方式を図１を参照しつつ説明する。
【０００６】
図１は、ＤＣＤ−２インターフェースを採用したプッシュ方式を示している。
【０００７】
ステップＳ１０１、Ｓ１０２、及びＳ１０３で、ＤＣＤイネーブルドクライアントアプリケーション（ＤＣＤ  ｅｎａｂｌｅｄ  ｃｌｉｅｎｔ  ａｐｐｌｉｃａｔｉｏｎ）１００からＤＣＤコンテンツ提供者１３０へ予約個人化（ｓｕｂｓｃｒｉｐｔｉｏｎ  ｐｅｒｓｏｎａｌｉｚａｔｉｏｎ）要請が転送され、それによってＤＣＤイネーブルドクライアントアプリケーション１００がＤＣＤコンテンツ提供者１３０に格納されたコンテンツを受信して表示する。予約個人化はコンテンツのタイプによって任意的なものであって、それは特定のコンテンツを予約要請するのでないためである。
【０００８】
ステップＳ１０４で、ＤＣＤコンテンツ提供者１３０は新たなコンテンツをＤＣＤサーバ１２０に掲示する。新たなコンテンツは多数のＤＣＤイネーブルドアプリケーション１００に予約の好みをマッチングしたコンテンツであるとか、それらに関連する一般的なコンテンツでありうる。
【０００９】
ステップＳ１０５で、ＤＣＤサーバ１２０は個人化ソース１４０に対するコンテンツ適応化（ｃｏｎｔｅｎｔ  ａｄａｐｔａｔｉｏｎ）の遂行に必要とする個人化情報を獲得する。そのような情報は、位置、プレゼンス（ｐｒｅｓｅｎｃｅ）、端末プロファイルなどを含むことができる。
【００１０】
ステップＳ１０６で、ＤＣＤサーバ１２０は獲得した個人化情報及び登録時に得たアプリケーションプロファイル選好度に基づいてコンテンツ適応化を遂行する。
【００１１】
ステップＳ１０７で、コンテンツがＤＣＤクライアント端末１１０にプッシュ（ｐｕｓｈ）される。次に、ステップＳ１０８で、コンテンツがＤＣＤイネーブルドクライアントアプリケーションへ転送されて、ＤＣＤクライアント端末１１０に表示される。
【発明の概要】
【発明が解決しようとする課題】
【００１２】
本発明は、ＤＣＤサーバがユーザの希望するコンテンツのみを転送できるようにするＤＣＤシステムを提供することができる。
【課題を解決するための手段】
【００１３】
本発明の一様態によれば、ダイナミックコンテンツ転送（ＤＣＤ）システムにおけるサーバからクライアント端末にコンテンツをアップデートする方法であって、アップデートに有効な１つ以上のコンテンツの識別情報を含む第１メッセージをサーバからクライアント端末へ転送するステップと、クライアント端末が第１メッセージを受信し、１つ以上のコンテンツのうち、アップデートしようとする特定のコンテンツの識別情報を含む第２メッセージをサーバへ転送してコンテンツアップデートを要請するステップと、サーバが第２メッセージを受信し、第２メッセージに含まれた識別情報に相応するコンテンツまたはそのアドレスを含む第３メッセージを転送して第２メッセージに応答するステップと、クライアント端末が第３メッセージを受信するステップと、を含むコンテンツアップデート方法が提供される。
【００１４】
第１メッセージは、サーバとクライアント端末との間のセッションを識別するセッション−ＩＤを含むことができる。
【００１５】
第１メッセージに含まれる識別情報は、チャネル−ＩＤ及び／又はコンテンツ−ＩＤを含むことができる。
【００１６】
第２メッセージに含まれる識別情報は、チャネル−ＩＤ及び／又はコンテンツ−ＩＤを含むことができる。
【００１７】
上記の方法は、第３メッセージに含まれるか第３メッセージにより参照されたコンテンツに対するコンテンツアップデートの結果を提供する第４メッセージをクライアント端末からサーバへ転送するステップと、サーバが第４メッセージを受信するステップと、を更に含むことができる。
【００１８】
第１メッセージと第３メッセージのうちのどれか１つは第４メッセージを要請する情報を含むことができる。
【００１９】
他の様態によれば、ダイナミックコンテンツ転送（ＤＣＤ）システムにおけるサーバからクライアント端末にコンテンツをアップデートする方法であって、クライアント端末がアップデートに有効な１つ以上のコンテンツの識別情報を含む通知メッセージを受信してコンテンツアップデートが開始される時に、またはオンデマンド型コンテンツアップデート要請時に１つ以上のコンテンツのうち、アップデートしようとする特定のコンテンツの識別情報を含む通知メッセージをクライアント端末からサーバへ転送してコンテンツアップデートを要請するステップと、サーバが要請メッセージを受信し、要請メッセージに含まれた識別情報に相応するコンテンツまたはそのアドレスを含む応答メッセージを転送して要請メッセージに応答するステップと、クライアント端末が応答メッセージを受信するステップと、を含むコンテンツアップデート方法が提供される。
【００２０】
通知メッセージは、サーバとクライアント端末との間のセッションを識別するセッション−ＩＤを含むことができる。
【００２１】
通知メッセージに含まれる識別情報は、チャネル−ＩＤ及び／又はコンテンツ−ＩＤを含むことができる。
【００２２】
要請メッセージに含まれる識別情報は、チャネル−ＩＤ及び／又はコンテンツ−ＩＤを含むことができる。
【００２３】
上記の方法は、応答メッセージに含まれるか応答メッセージにより参照されたコンテンツに対するコンテンツアップデートの結果を提供する確認メッセージをクライアント端末からサーバへ転送するステップと、サーバが確認メッセージを受信するステップと、を更に含むことができる。
【００２４】
要請メッセージと応答メッセージのうちのどれか１つは確認メッセージを要請する情報を含むことができる。
【００２５】
更に他の様態によれば、サーバからクライアント端末にコンテンツをアップデートするダイナミックコンテンツ転送（ＤＣＤ）システムであって、アップデートに有効な１つ以上のコンテンツの識別情報を含む第１メッセージをクライアント端末へ転送し、１つ以上のコンテンツのうち、アップデートしようとする特定のコンテンツの識別情報を含む第２メッセージを受信してコンテンツアップデートの要請を受けて、第２メッセージに含まれた識別情報に相応するコンテンツまたはそのアドレスを含む第３メッセージを転送して第２メッセージに応答するサーバと、サーバから第１メッセージを受信し、第２メッセージをサーバへ転送し、サーバから第３メッセージを受信するクライアント端末と、を含むダイナミックコンテンツ転送システムが提供される。
【００２６】
第１メッセージは、サーバとクライアント端末との間のセッションを識別するセッション−ＩＤを含むことができる。
【００２７】
第１メッセージに含まれる識別情報は、チャネル−ＩＤ及び／又はコンテンツ−ＩＤを含むことができる。
【００２８】
第２メッセージに含まれる識別情報は、チャネル−ＩＤ及び／又はコンテンツ−ＩＤを含むことができる。
【００２９】
上記のシステムは、第３メッセージに含まれるか第３メッセージにより参照されたコンテンツに対するコンテンツアップデートの結果を提供する第４メッセージをクライアント端末からサーバへ転送するステップと、サーバが第４メッセージを受信するステップと、を更に含むことができる。
【００３０】
第１メッセージと第３メッセージのうちのどれか１つは、第４メッセージを要請する情報を含むことができる。
【００３１】
更に他の様態によれば、ダイナミックコンテンツ転送（ＤＣＤ）システムにおけるサーバがクライアント端末にコンテンツをアップデートする方法であって、アップデートに有効な１つ以上のコンテンツの識別情報を含む第１メッセージをクライアント端末へ転送するステップと、１つ以上のコンテンツのうち、アップデートしようとする特定のコンテンツの識別情報を含む第２メッセージを受信してコンテンツアップデートの要請を受けるステップと、第２メッセージに含まれた識別情報に相応するコンテンツまたはそのアドレスを含む第３メッセージを転送して第２メッセージに応答するステップと、を含むコンテンツアップデート方法が提供される。
【００３２】
第１メッセージは、サーバとクライアント端末との間のセッションを識別するセッション−ＩＤを含むことができる。
【００３３】
第１メッセージに含まれる識別情報は、チャネル−ＩＤ及び／又はコンテンツ−ＩＤを含むことができる。
【００３４】
第２メッセージに含まれる識別情報は、チャネル−ＩＤ及び／又はコンテンツ−ＩＤを含むことができる。
【００３５】
上記の方法は、第３メッセージに含まれるか第３メッセージにより参照されたコンテンツに対するコンテンツアップデートの結果を提供する第４メッセージをクライアント端末からサーバへ転送するステップと、サーバが第４メッセージを受信するステップと、を更に含むことができる。
【００３６】
第１メッセージと第３メッセージのうちのどれか１つは第４メッセージを要請する情報を含むことができる。
【００３７】
更に他の様態によれば、ダイナミックコンテンツ転送（ＤＣＤ）システムにおけるクライアント端末がサーバからコンテンツのアップデートを受ける方法であって、アップデートに有効な１つ以上のコンテンツの識別情報を含む第１メッセージの受信を受けるステップと、１つ以上のコンテンツのうち、アップデートしようとする特定のコンテンツの識別情報を含む第２メッセージを転送してコンテンツアップデートを要請するステップと、第２メッセージに含まれた識別情報に相応するコンテンツまたはそのアドレスを含む第３メッセージを受信して第２メッセージに対して応答を受けるステップと、を含むコンテンツアップデート方法が提供される。
【００３８】
第１メッセージは、サーバとクライアント端末との間のセッションを識別するセッション−ＩＤを含むことができる。
【００３９】
第１メッセージに含まれる識別情報は、チャネル−ＩＤ及び／又はコンテンツ−ＩＤを含むことができる。
【００４０】
第２メッセージに含まれる識別情報は、チャネル−ＩＤ及び／又はコンテンツ−ＩＤを含むことができる。
【００４１】
上記の方法は、第３メッセージに含まれるか第３メッセージにより参照されたコンテンツに対するコンテンツアップデートの結果を提供する第４メッセージをクライアント端末からサーバへ転送するステップと、サーバが第４メッセージを受信するステップと、を更に含むことができる。
【００４２】
第１メッセージと第３メッセージのうちのどれか１つは第４メッセージを要請する情報を含むことができる。
【００４３】
更に他の様態によれば、ダイナミックコンテンツ転送（ＤＣＤ）システムにおけるクライアント端末がサーバからコンテンツのアップデートを受ける方法であって、アップデートに有効な１つ以上のコンテンツの識別情報を含む通知メッセージを受信してコンテンツアップデートが開始される時に、またはオンデマンド型コンテンツアップデート要請時に、１つ以上のコンテンツのうち、アップデートしようとする特定のコンテンツの識別情報を含む要請メッセージをサーバへ転送してコンテンツアップデートを要請するステップと、要請メッセージに含まれた識別情報に相応するコンテンツまたはそのアドレスを含む応答メッセージをサーバから受信して要請メッセージに対して応答を受けるステップと、を含むコンテンツアップデート方法が提供される。
【００４４】
通知メッセージは、サーバとクライアント端末との間のセッションを識別するセッション−ＩＤを含むことができる。
【００４５】
通知メッセージに含まれる識別情報は、チャネル−ＩＤ及び／又はコンテンツ−ＩＤを含むことができる。
【００４６】
要請メッセージに含まれる識別情報は、チャネル−ＩＤ及び／又はコンテンツ−ＩＤを含むことができる。
【００４７】
上記の方法は、応答メッセージに含まれるか応答メッセージにより参照されたコンテンツに対するコンテンツアップデートの結果を提供する確認メッセージをクライアント端末からサーバへ転送するステップと、サーバが確認メッセージを受信するステップと、を更に含むことができる。
【００４８】
要請メッセージと応答メッセージのうちのどれか１つは、確認メッセージを要請する情報を含むことができる。
【発明の効果】
【００４９】
本発明によれば、ユーザが希望するコンテンツのみを送受信できるという利点がある。
【図面の簡単な説明】
【００５０】
【図１】ＤＣＤ−２インターフェースを採用したプッシュ方式を示す図である。
【図２】一実施形態に従ってサーバから移動端末へコンテンツを転送することを示すフローチャートである。
【図３】他の実施形態に従ってサーバからクライアント端末へコンテンツを転送することを示すフローチャートである。
【図４】一実施形態に従う例示的コンテンツリストを示す図である。
【図５】コンテンツリストの転送後にクライアント端末にコンテンツ転送を提供するサーバの内部構成を示す図である。
【発明を実施するための形態】
【００５１】
以下、本発明の例示的実施形態を添付図面を参照しつつ説明する。以後の説明及び添付図面において、同一または類似な構成要素には同一な図面符号を使用するので、同一または類似な構成要素を反復的に説明しない。また、本発明の要旨を曖昧にすることを避けるために、本明細書に含まれた公知の機能及び構成に関する説明を省略する。
【００５２】
図２は、実施形態に従ってサーバからクライアント端末へのコンテンツ転送を示すフローチャートである。
【００５３】
図２を参照すると、ＤＣＤクライアント端末１１０がＤＣＤサーバ１２０からダイナミックコンテンツ転送（ＤＣＤ）サービスの提供を受ける一実施形態に従うＤＣＤシステムは、ＤＣＤイネーブルドクライアントアプリケーション１００及びＤＣＤクライアント端末１１０を含む移動端末の部分と、ＤＣＤサーバ１２０、ＤＣＤコンテンツ提供者１３０、及び個人化ソース１４０を含むサーバの部分からなる。以下の明細書において、移動端末はアプリケーション１００とクライアント端末１１０のうちの１つまたはその全てを意味する。サーバは狭意ではＤＣＤサーバ１２０を意味するが、広意ではＤＣＤサーバ１２０、ＤＣＤコンテンツ提供者１３０、及び個人化ソース１４０のうちの１つ以上を意味することがある。
【００５４】
ステップＳ１５０、Ｓ１５２、及びＳ１５４で、アプリケーション１００からＤＣＤコンテンツ提供者１３０へ予約個人化要請が転送され、それによってアプリケーション１００がＤＣＤコンテンツ提供者１３０に格納されたコンテンツを受信してディスプレイする。即ち、ＤＣＤサーバ１２０が移動端末にＤＣＤサービスを提供するか移動端末がＤＣＤサーバ１２０からＤＣＤサービスの提供を受ける。予約個人化はコンテンツのタイプによって任意的なものであって、それは特定のコンテンツを予約要請するのでないためである。
【００５５】
ステップＳ１５４で、ＤＣＤコンテンツ提供者１３０は新しいまたはアップデートされたコンテンツをＤＣＤサーバ１２０に掲示する。新しいまたはアップデートされたコンテンツは、多数のＤＣＤイネーブルドアプリケーション１００に予約の好みをマッチングしたコンテンツであるとかそれらの関心事のどんな一般的なコンテンツでありうる。
【００５６】
ステップＳ１５８で、ＤＣＤサーバ１２０は先にコンテンツ有効性通知メッセージをＤＣＤクライアント端末１１０へ転送してコンテンツアップデートを開始し、次にＤＣＤクライアント端末１１０がその通知メッセージを受信する。ステップＳ１６０で、ＤＣＤクライアント端末１１０はその通知メッセージをアプリケーション１００に中継する。そのようなコンテンツ有効性通知メッセージは、アップデートに有効な１つ以上のコンテンツの識別情報を含むことができる。識別情報は、例えばアップデートしようとするチャネルを識別するチャネル−ＩＤとコンテンツアイテムを識別するコンテンツ−ＩＤのうちの１つ以上を含むことができる。通知メッセージは、サーバ１２０とクライアント端末１１０との間のセッションを識別するセッション−ＩＤを含むことができる。
【００５７】
コンテンツ有効性通知メッセージは、プッシュベアラー（ｐｕｓｈ  ｂｅａｒｅｒ）または放送ベアラー（ｂｒｏａｄｃａｓｔ  ｂｅａｒｅｒ）を通じて転送できる。コンテンツ有効性通知メッセージが放送メッセージであれば、その通知メッセージはセッション−ＩＤの代りに放送サービス−ＩＤを含むことができる。
【００５８】
上記では本発明の一実施形態に従ってＤＣＤシステムにおけるＤＣＤサーバ１２０が第１メッセージまたは通知メッセージをＤＣＤクライアント端末１１０へ転送してＤＣＤサーバ１２０からＤＣＤクライアント端末１１０へのコンテンツアップデートを開始することを説明しているが、本発明はそれに限定されるのでない。第１メッセージまたは通知メッセージをＤＣＤクライアント端末１１０へ転送することによって、コンテンツアップデートを開始する代わりに、アプリケーション１００により要請された、例えばトリガーされたオンデマンド型コンテンツアップデート、スケジューリングされたコンテンツアップデート、またはコンテンツ満了によりコンテンツアップデートを開始することもできる。
【００５９】
通知メッセージの受信と要請されたオンデマンド型コンテンツアップデートのうちの１つ以上が起こる時に、ＤＣＤクライアント端末１１０はステップＳ１６２でＤＣＤサーバ１２０にコンテンツアップデートを要請する第２メッセージまたはコンテンツアップデート要請メッセージをアプリケーション１００から受信し、次にステップＳ１６４で、そのメッセージをＤＣＤサーバ１２０へ転送する。ステップＳ１６４で、ＤＣＤサーバ１２０はコンテンツアップデート要請メッセージを受信する。
【００６０】
第２メッセージまたはコンテンツアップデート要請メッセージは、１つ以上のコンテンツのうち、アップデートしようとする特定のコンテンツの識別情報を含むことができる。識別情報は、例えばアップデートしようとするチャネルを識別するチャネル−ＩＤ、コンテンツアイテムを識別するコンテンツ−ＩＤ、及び要請された特定のコンテンツアイテムのコンテンツアドレスのうちの１つ以上を含むことができる。
【００６１】
第２メッセージまたはコンテンツアップデート要請メッセージは、サーバ１２０とクライアント端末１１０との間のセッションを識別するセッション−ＩＤを含むことができる。
【００６２】
したがって、ＤＣＤクライアント端末１１０のような移動端末はユーザが希望するコンテンツのみを要請できるが、なぜならばＤＣＤクライアント端末１１０がユーザが希望するコンテンツに対してのみコンテンツアップデートを要請するコンテンツアップデート要請メッセージをサーバへ転送するためである。
【００６３】
ステップＳ１６６で、ＤＣＤサーバ１２０は個人化ソース１４０に対するコンテンツ適応化（ｃｏｎｔｅｎｔ  ａｄａｐｔａｔｉｏｎ）を遂行するに必要とする個人化情報を獲得する。そのような情報は、位置、プレゼンス（ｐｒｅｓｅｎｃｅ）、端末プロファイルなどを含むことができる。
【００６４】
ステップＳ１６８で、ＤＣＤサーバ１２０は獲得した個人化情報及びアプリケーションプロファイル選好度に基づいてコンテンツ適応化を遂行する。ステップＳ１６６及びＳ１６８は、ＤＣＤクライアント端末１１０とＤＣＤサーバ１２０の両側に全て必要なものではないことがある。
【００６５】
ステップＳ１７０で、ＤＣＤサーバ１２０は第２メッセージまたはコンテンツ要請メッセージに含まれた識別情報に相応するコンテンツまたはそのアドレスを含む第３メッセージ、またはコンテンツ応答メッセージをＤＣＤクライアント端末１１０へ転送して第２メッセージまたはコンテンツ要請メッセージに応答する。ステップＳ１７２で、ＤＣＤクライアント端末１１０はコンテンツ応答メッセージを受信して、そのメッセージをアプリケーション１００に中継する。アプリケーション１００へ転送されたコンテンツはクライアント端末１２０のような移動端末にディスプレイされる。
【００６６】
結果的に、ＤＣＤクライアント端末１１０はＤＣＤサーバ１２０からＤＣＤサービスの提供を受けるようになる。
【００６７】
最後に、ＤＣＤクライアント端末１１０はステップＳ１７４でコンテンツに対するコンテンツアップデートの結果を提供する第４メッセージまたはコンテンツアップデート確認メッセージをアプリケーション１００から受信し、次にステップＳ１７６で、そのメッセージをＤＣＤサーバ１２０へ転送する。ステップＳ１７６で、ＤＣＤサーバ１２０は第４メッセージまたはコンテンツアップデート確認メッセージを受信する。
【００６８】
ＤＣＤクライアント端末１１０がアップデートに有効なコンテンツの識別情報を入れたコンテンツアップデート要請メッセージをＤＣＤサーバ１２０へ転送しなければ、ＤＣＤサーバ１２０がアップデートに有効なコンテンツの識別情報に相応する特定のコンテンツまたはそのアドレスをＤＣＤクライアント端末１１０へ転送することができない。それは、ＤＣＤクライアント端末１１０が不要なコンテンツを受信して移動端末の資源を非効率的に使用しないようにする。言い換えると、ＤＣＤサーバ１２０が不要なコンテンツをＤＣＤクライアント端末１１０へ転送しないので、ＤＣＤサーバ１２０の負荷を減らすだけでなく、ネットワーク資源を効率的に使用するようになる。
【００６９】
図３は、他の実施形態に従ってサーバから移動端末へコンテンツを転送することを示すフローチャートである。
【００７０】
ＤＣＤクライアント端末１１０がＤＣＤサーバ１２０からダイナミックコンテンツ転送（ＤＣＤ）サービスの提供を受ける他の実施形態に従うＤＣＤシステムは、図２に示すように、ＤＣＤイネーブルドクライアントアプリケーション１００及びＤＣＤクライアント端末１１０を含む移動端末の部分と、ＤＣＤサーバ１２０、ＤＣＤコンテンツ提供者１３０、及び個人化ソース１４０を含むサーバの部分からなる。図３は、他の実施形態に従うＤＣＤシステムにおけるＤＣＤクライアント端末１１０とＤＣＤサーバ１２０との間になされるコンテンツ転送のフローチャートを主として示すものである。
【００７１】
図３を参照すると、他の実施形態において、ＤＣＤクライアント端末１１０がＤＣＤサーバ１２０からＤＣＤサービスの提供を受ける時、ＤＣＤサーバ１２０は特定のコンテンツのコンテンツ転送の前にアップデートに有効な１つ以上のコンテンツの識別情報、即ちコンテンツリスト情報をクライアント端末１１０に提供する。
【００７２】
図３を参照すると、コンテンツリストを移動端末へ転送することによるコンテンツ転送方法は、ＤＣＤサーバ１２０からＤＣＤクライアント端末１１０へ通知メッセージを転送することによって、コンテンツアップデートを通知するコンテンツアップデート通知ステップ（Ｓ２００）と、ＤＣＤサーバ１２０からＤＣＤクライアント端末１１０へコンテンツリスト情報を転送するコンテンツリスト転送ステップ（Ｓ２１０）と、ＤＣＤサーバ１２０からＤＣＤクライアント端末１１０へコンテンツを転送するコンテンツ転送ステップ（Ｓ２２０）と、コンテンツ転送を確認するコンテンツ転送確認ステップ（Ｓ２３０）と、を含む。
【００７３】
ステップＳ２００のコンテンツアップデート通知ステップは、ステップＳ２０２でＤＣＤサーバ１２０からＤＣＤクライアント端末１１０へ通知メッセージを転送してコンテンツアップデートを通知するステップである。
【００７４】
通知メッセージは、アップデートに有効な全てのコンテンツに対するコンテンツアップデートをＤＣＤサーバ１２０からＤＣＤクライアント端末１１０に通知するＳＭＳプッシュメッセージでありうる。通知メッセージは、ＤＣＤサーバ１２０とＤＣＤクライアント端末１１０との間のセッション−ＩＤを含むことができる。
【００７５】
ステップＳ２１０のコンテンツリスト転送ステップは、アップデートに有効な全てのコンテンツに関するコンテンツリスト情報をＤＣＤサーバ１２０からＤＣＤクライアント端末１１０へ転送するステップである。ステップＳ２０１のコンテンツリスト転送ステップは、ステップＳ２１２でＤＣＤクライアント端末１１０からＤＣＤサーバ１２０にコンテンツアップデート要請メッセージを受信するステップと、ステップＳ２１４でＤＣＤサーバ１２０がコンテンツアップデート応答メッセージをＤＣＤクライアント端末１１０へ転送するステップを含む。
【００７６】
ステップＳ２０２、Ｓ２１２、及びＳ２１４は、次の３つのステップからなることができる：ＤＣＤサーバ１２０が通知メッセージを転送してコンテンツアップデートを通知するステップ、ＤＣＤクライアント端末１１０がＤＣＤサーバ１２０にコンテンツリストを要請するステップ、及びＤＣＤサーバ１２０がアップデートに有効な１つ以上のコンテンツの識別情報、即ちコンテンツリスト情報をＤＣＤクライアント端末１１０へ転送するステップ。しかしながら、上記の３つのステップは、図２のステップＳ１５８のコンテンツ通知ステップのように、ＤＣＤサーバ１２０がアップデートに有効な１つ以上のコンテンツの識別情報をＤＣＤクライアント端末１１０へ転送する１つのステップで遂行される。
【００７７】
コンテンツリスト情報は、図２のＤＣＤコンテンツ提供者１３０に格納されることができる。コンテンツリスト情報は、ＤＣＤクライアント端末１１０へのアップデートに有効な１つ以上のコンテンツのような全てのコンテンツの識別情報からなることができるが、その識別情報は全てのコンテンツに対するコンテンツ−ＩＤ、コンテンツサイズ情報、アプリケーション−ＩＤ、及びチャネル−ＩＤのうちの１つ以上を含むことができる。
【００７８】
ＤＣＤサーバ１２０から転送される全体コンテンツの総サイズ及び各々のコンテンツのサイズのような上記コンテンツサイズ情報は、ＤＣＤクライアント端末１１０がメモリ管理機能を遂行できるようにする。
【００７９】
ＤＣＤクライアント端末１１０がコンテンツリスト上の全てのコンテンツのうち、２つ以上のコンテンツを選択し、選択されたコンテンツを互いに異なる転送優先順位に設定することによって、ＤＣＤサーバ１２０は優先順位の順序にＤＣＤサービスをＤＣＤクライアント端末１１０に提供することができる。
【００８０】
ステップＳ２２０のコンテンツ転送ステップは、ＤＣＤサーバ１２０が全てのコンテンツの中から選択されたコンテンツをＤＣＤクライアント端末１１０へ転送するステップである。ステップＳ２２０のコンテンツ転送ステップは、ステップＳ２２２でＤＣＤサーバ１２０がコンテンツリスト上で選択されたコンテンツに対するコンテンツアップデート要請メッセージを受信するステップ、及びステップＳ２２４で選択されたコンテンツを含むコンテンツアップデート応答メッセージをＤＣＤクライアント端末１１０へ転送するステップからなることができる。
【００８１】
選択されたコンテンツは、ＤＣＤクライアント端末１１０が全てのコンテンツのうちから選択したコンテンツである。
【００８２】
上記コンテンツ転送ステップの後に、ＤＣＤクライアント端末１１０が全てのコンテンツのうちで、上記選択されたコンテンツを除外した他の１つ以上のコンテンツを選択すれば、各々のコンテンツに対してステップＳ２２２及びＳ２２４が繰り返される。
【００８３】
上記選択されたコンテンツが各々ＤＣＤクライアント端末１１０により設定された転送優先順位を有する場合、選択されたコンテンツのうち、優先順位の高いコンテンツに対して、先にステップＳ２２０及びＳ２２４が遂行され、ＤＣＤクライアント端末１１０は優先順位の順序にＤＣＤサービスの提供を受ける。
【００８４】
ステップＳ２３０のコンテンツ転送確認ステップは、コンテンツ転送を確認するステップである。ステップＳ２３０のコンテンツ転送確認ステップは、ステップＳ２３２でＤＣＤクライアント端末１１０からコンテンツ転送確認のための要請メッセージを受信するステップ、及びステップＳ２３４でコンテンツ転送確認に対する応答メッセージを転送するステップからなることができる。しかしながら、ステップＳ２３０のコンテンツ転送確認ステップは、必須的なものでないことがあり、本ＤＣＤシステムでは省略されるかＤＣＤクライアント端末１１０が確認メッセージをＤＣＤサーバ１２０へ転送する１つのステップに単純化できる。
【００８５】
他の実施形態は、ＤＣＤサーバ１２０がユーザが希望しないコンテンツを転送しないので、ＤＣＤサーバ１２０の負荷を減らすことができるだけでなく、ネットワーク資源を効率的に使用できるという利点がある。
【００８６】
端末ユーザは、コンテンツ転送前にコンテンツの種類とサイズ及びチャネルの種類を予め知るようになるので、それらか希望するコンテンツのみを選択することができる。また、アップデートに有効なコンテンツのサイズが確認されるので、コンテンツ転送が充分でない格納空間により終わる前に中断される。
【００８７】
上記コンテンツ転送方法は、アップデートに有効なコンテンツに相異している優先順位を設定してＤＣＤサーバ１２０が優先順位の順序にコンテンツを転送できるようにする。
【００８８】
図４は、一実施形態に従う例示的コンテンツリストを示している。
【００８９】
図４は、ステップＳ２１０のうちのステップＳ２１４で、ＤＣＤサーバ１２０が全体コンテンツ情報を含めてＤＣＤクライアント端末１１０へ転送するコンテンツリストでありながら、ステップＳ２２０のうちのステップＳ２２２でＤＣＤクライアント端末１１０が選択されたコンテンツ情報を含めてＤＣＤサーバ１２０へ転送するコンテンツリストである例示的コンテンツリストを示すものである。そのようなコンテンツリストは、アップデートに有効な１つ以上のコンテンツの識別情報を含むことができる。
【００９０】
コンテンツリスト３００は、コンテンツ−ＩＤ３１０、コンテンツサイズ３２０、アプリケーション−ＩＤ３３０、チャネル−ＩＤ３４０、及び全体コンテンツの総サイズ３５０のうちの１つ以上を含むことができる。
【００９１】
図４を参照すると、全体コンテンツはチャネル−ＩＤが“Ｃ０１”の第１コンテンツ３１１、チャネル−ＩＤが“Ｃ０２”の第２コンテンツ３１２、チャネル−ＩＤが“Ｃ０３”の第３コンテンツ３１３、及びチャネル−ＩＤが“Ｃ０４”の第４コンテンツ３１４を含む。全体コンテンツの総サイズは“５２０ＫＢ（キロバイト）”である。
【００９２】
具体的に、チャネル−ＩＤが“Ｃ０１”の第１コンテンツ３１１は、“１００ＫＢ（キロバイト）”のサイズを有し、ＤＣＤクライアント端末１１０が特定のコンテンツを駆動またはディスプレイできるようにするＤＣＤイネーブルドアプリケーションの識別子である“Ａ０１”のアプリケーション−ＩＤ、及びチャネル情報である“ＣＨ０１”のチャネル−ＩＤを有する。
【００９３】
チャネル−ＩＤが“Ｃ０２”の第２コンテンツ３１２は、“１２０ＫＢ（キロバイト）”のサイズを有し、“Ａ０１”のアプリケーション−ＩＤ及び“ＣＨ０１”のチャネル−ＩＤを有する。
【００９４】
チャネル−ＩＤが“Ｃ０３”の第３コンテンツ３１３は、“９０ＫＢ（キロバイト）”のサイズを有し、“Ａ０２”のアプリケーション−ＩＤ及び“ＣＨ０１”のチャネル−ＩＤを有する。
【００９５】
チャネル−ＩＤが“Ｃ０４”の第４コンテンツは、“２１０ＫＢ（キロバイト）”のサイズを有し、“Ａ０３”のアプリケーション−ＩＤ及び“ＣＨ０２”のチャネル−ＩＤを有する。
【００９６】
ステップＳ２１０のうちのステップＳ２１４での全体コンテンツ情報を含んだ上記コンテンツリスト３００は、ＤＣＤサーバ１２０により多様な形態でＤＣＤクライアント端末１１０へ転送できる。例えば、コンテンツリスト３００はコンテンツ−ＩＤフィールドのような特定のフィールド内にあるコンテンツ−ＩＤのカンマ区切りリスト（ｃｏｍｍａ−ｓｅｐａｒａｔｅｄ  ｌｉｓｔ）、コンテンツサイズフィールド内にある特定のコンテンツに対するコンテンツサイズのカンマ区切りリスト、チャネル−ＩＤフィールド内にあるアップデートしようとするチャネルに対するＩＤのカンマ区切りリスト、及びアプリケーション−ＩＤフィールド内にあるアプリケーション−ＩＤのカンマ区切りリストのうちの１つ以上で構成できる。他の例として、コンテンツリスト３００がコンテンツ−ＩＤとチャネル−ＩＤのみを含めば、ＤＣＤサーバ１２０はそれらの特定のフィールド内にそれらのカンマ区切りリストを入れたコンテンツリストをＤＣＤクライアント端末１１０へ転送する。
【００９７】
ＤＣＤサーバ１２０が事前にコンテンツリスト情報無しで総サイズが５００ＫＢである全体コンテンツをＤＣＤクライアント端末１１０へ転送すれば、４００ＫＢの割愛された格納空間を有するＤＣＤクライアント端末１２０は、ユーザがアップデートする必要もないコンテンツリスト３００内のコンテンツ３１３、３１４が転送されることによりコンテンツ全部を受信することができない。
【００９８】
ＤＣＤクライアント端末１１０がステップＳ２１４で予め全てのコンテンツの情報を入れたコンテンツリスト３００をＤＣＤサーバ１２０から受信した後には、ＤＣＤクライアント端末１１０がステップＳ２２２でコンテンツ−ＩＤが“Ｃ０１”及び“Ｃ０２”の選択されたコンテンツ３１１、３１２のコンテンツ−ＩＤ、コンテンツサイズ、アプリケーション−ＩＤ、及びチャネル−ＩＤのような識別情報を含むコンテンツアップデート要請メッセージをＤＣＤサーバ１２０へ転送することができる。ＤＣＤクライアント端末１１０は、割愛された格納空間のあふれ無しでステップＳ２２４でコンテンツアップデート要請メッセージに含まれていた選択されたコンテンツ３１１、３１２のみを受信するようになる。また、ＤＣＤサーバ１２０から転送される全体コンテンツの総サイズ及び各々のコンテンツのサイズのような上記コンテンツサイズ情報は、ＤＣＤクライアント端末１１０がメモリ管理機能を遂行できるようにする。
【００９９】
図４を参照すると、選択されたコンテンツはコンテンツ−ＩＤが“Ｃ０１”と“Ｃ０２”のコンテンツ３１１、３１２の場合、それらコンテンツはＤＣＤクライアント端末１１０が選択されたコンテンツをＤＣＤサーバ１２０から優先順位の順序に受信するように相異している優先順位に設定できる。
【０１００】
図５は、コンテンツリストの転送後にＤＣＤクライアント端末１１０にコンテンツ転送を提供するＤＣＤサーバの内部構成を示している。
【０１０１】
図５を参照すると、ＤＣＤサーバ１２０は、受信機４１０、送信機４２０、格納器４３０、及びメッセージ生成器４４０を含む。
【０１０２】
受信機４１０は、図２及び図３において、コンテンツアップデート要請メッセージ及びコンテンツアップデート確認メッセージを受信するように構成される。また、受信機４１０は、図２において、その情報がコンテンツアップデート要請に含まれている選択されたコンテンツをＤＣＤコンテンツ提供者１３０から受信するように構成される。
【０１０３】
送信機４２０は、図２及び図３において、コンテンツ通知メッセージ、選択されたコンテンツのみを入れたコンテンツ応答メッセージ、及びコンテンツアップデート確認応答メッセージを転送するように構成される。
【０１０４】
格納器４３０は、図２において、受信機４１０がＤＣＤコンテンツ提供者１３０から受信した選択されたコンテンツを格納するように構成される。
【０１０５】
メッセージ生成器４４０は、コンテンツ転送に必要とするコンテンツ通知メッセージ、要請メッセージ、応答メッセージ、及び確認メッセージを生成するように構成される。
【０１０６】
実施形態は前述のように説明されるが、本発明はその実施形態に限定されるのでない。例えば、図２に示すような一実施形態を図３及び図４に示している他の実施形態と多様に組合することができる。
【０１０７】
本発明の幾つかの例示的な実施形態を例示を目的として説明したが、当業者であれば添付の請求範囲に開示されたような本発明の範囲及び思想から外れることなく、多様な修正、付加、及び置換が可能であることを理解するはずである。
【産業上の利用可能性】
【０１０８】
本発明は、ユーザが希望するコンテンツのみを送受信できるという利点がある。
【図１】
2010522393.tif 000003
【図２】
2010522393.tif 000004
【図３】
2010522393.tif 000005
【図４】
2010522393.tif 000006
【図５】
2010522393.tif 000007
【国際調査報告】
2010522393.tif 000008
2010522393.tif 000009